(57)【要約】【課題】携帯電話もしくは無線ＬＡＮなどの携帯無線端末がサービス圏外にある時に、サービス圏内を地図情報と現在位置情報を当該携帯無線端末に表示することにより、ユーザーを最寄りのサービス圏内へ迅速に案内するサービスを提供する。【解決手段】無線を介して他の端末と通信を行う携帯無線端末であって、前記携帯無線端末が通信可能な区域及び通信不可能な区域とに関する地図座標情報を取得する地図座標情報処理部と、前記携帯無線端末の位置情報を取得する位置座標処理部と、前記地図座標情報に前記位置情報を付加する座標合成部と、前記座標合成部の出力を表示する表示部とを備えることを特徴とする。【選択図】図１
2006157772.tif 000002
【特許請求の範囲】
【請求項１】
無線を介して他の端末と通信を行う携帯無線端末であって、
前記携帯無線端末が通信可能な区域及び通信不可能な区域とに関する地図座標情報を取得する地図座標情報処理部と、
前記携帯無線端末の位置情報を取得する位置座標処理部と、
前記地図座標情報に前記位置情報を付加する座標合成部と、
前記座標合成部の出力を表示する表示部とを備えることを特徴とする携帯無線端末。
【請求項２】
前記携帯無線端末の移動履歴を所定の周期で格納する記憶部をさらに有し、
前記移動履歴に基づき移動経過を再生することを特徴とする請求項１記載の携帯無線端末。
【請求項３】
前記携帯無線端末が通信可能な区域及び通信不可能な区域とに関する地図情報を格納するメモリ媒体をさらに備えることを特徴とする請求項１記載の携帯無線端末。
【請求項４】
前記携帯無線端末が通信可能な区域及び通信不可能な区域とに関する地図情報とは、前記携帯無線端末からの要求に応じて取得することを特徴とする請求項１記載の携帯無線端末。
【請求項５】
前記携帯無線端末の位置情報から最も近い通信可能な区域までの距離を算出する手段と、
前記距離を音声メッセージに変換して出力するスピーカとを更に有することを特徴とする請求項１記載の携帯無線端末。
【請求項６】
前記携帯無線端末の位置情報から最も近い通信可能な区域までの距離を算出する手段と、
前記距離を文字メッセージに変換し表示する手段とをさらに有することを特徴とする請求項１記載の携帯無線端末。
【請求項７】
前記携帯無線端末の位置情報を起点として、最も近い通信可能な区域への方向を図形メッセージに変換する手段をさらに有することを特徴とする請求項１記載の携帯無線端末。
【発明の詳細な説明】
【技術分野】
【０００１】
本発明は、携帯電話もしくは無線ＬＡＮ等の携帯無線端末に、サービス圏内情報と現在位置情報を地図情報により表示する端末およびシステムに関する。
【背景技術】
【０００２】
一般的な携帯電話のサービス圏内情報としては、図１３に示すようにサービス圏内では同図ｘに示すアンテナ（レベル）表示を、サービス圏外では同図ｙに示すアンテナ（圏外）表示をそれぞれ行い、ユーザーに情報を提供している。
【０００３】
ユーザーがサービス圏内からサービス圏外へ移動した場合、携帯電話の表示画面を監視していれば、アンテナ表示によりサービス圏外へ移動したことを認識できる。
【０００４】
しかしながら、非通信の状態のままでサービス圏内からサービス圏外へ移動した場合には、どの地点からサービス圏外になったのかは特定できなかった。
【０００５】
目的は異なるが、人物などの現在位置を知るための装置として、例えば、特許文献１や特許文献２が開示されている。
【０００６】
特特許文献１には、ＧＰＳ受信機能を有すると共に、ＰＨＳのコードレスホンの子機として使用可能な携帯端末装置を用いた現在位置通報システムが開示されている。このシステムによれば、まず、携帯端末装置は、ＧＰＳ衛星から受信した位置情報に基づいて算出した現在位置情報をＰＨＳのプロトコルに基づく無線信号に変換して無線基地局に送信する。一方、無線基地局は、携帯端末装置の現在位置情報を電話回線により監視センタへ送信する。そして、監視センタは、携帯端末装置から送信されてくる現在位置情報を基にして発信者がどこにいるかを調べ救急活動の手配をするようになっている。
【０００７】
また、特許文献２には、ＧＰＳ部と携帯電話機部とを有し、ＧＰＳ部で取得した位置情報を携帯電話機部から携帯電話回線を介して追跡人物に送信する携帯型送受信機を備えた位置情報検出装置が開示されている。
【０００８】
一方、特許文献３には、上述の特許文献１および特許文献２の課題を改善するために、ＰＨＳ機能に基づく位置情報と、位置情報のより正確なＧＰＳ機能に基づく位置情報とを適宜に切り換えて利用できるＧＰＳ機能付きＰＨＳ携帯端末が開示されている。
【特許文献１】特開平８−１８０２８６号公報
【特許文献２】特開平８−６５４１３号公報
【特許文献３】特開２０００−１３８９６１号公報
【発明の開示】
【発明が解決しようとする課題】
【０００９】
上述の提案は、人物の現在位置を特定し、上位網にある管理所および通報先に位置情報を通知して行動を監視することを目的としたものであり、人物の現在位置を地図画面上に表示する機能は上位網の管理所および通報先に限定されており、移動中のユーザーが持つ携帯無線端末の画面上に地図情報と現在位置情報を提供するような仕組みは考慮されていない。
【課題を解決するための手段】
【００１０】
前記従来の課題を解決するために、第１の発明の携帯無線端末は、無線を介して他の端末と通信を行う携帯無線端末であって、前記携帯無線端末が通信可能な区域及び通信不可能な区域とに関する地図座標情報を取得する地図座標情報処理部と、前記携帯無線端末の位置情報を取得する位置座標処理部と、前記地図座標情報に前記位置情報を付加する座標合成部と、前記座標合成部の出力を表示する表示部とを備えることを特徴とする。
【００１１】
第２の発明は、前記第１の発明に対し、前記携帯無線端末の移動履歴を所定の周期で格納する記憶部をさらに有し、前記移動履歴に基づき移動経過を再生することを特徴とする。
【００１２】
第３の発明は、前記第１の発明に対し、前記携帯無線端末が通信可能な区域及び通信不可能な区域とに関する地図情報を格納するメモリ媒体をさらに備えることを特徴とする。
【００１３】
第４の発明は、前記第１の発明に対し、前記携帯無線端末が通信可能な区域及び通信不可能な区域とに関する地図情報とは、前記携帯無線端末からの要求に応じて取得することを特徴とする。
【００１４】
第５の発明は、前記第１の発明に対し、前記携帯無線端末の位置情報から最も近い通信可能な区域までの距離を算出する手段と、前記距離を音声メッセージに変換して出力するスピーカとを更に有することを特徴とする。
【００１５】
第６の発明は、前記第１の発明に対し、前記携帯無線端末の位置情報から最も近い通信可能な区域までの距離を算出する手段と、前記距離を文字メッセージに変換し表示する手段とをさらに有することを特徴とする。
【００１６】
第７の発明は、前記第１の発明に対し、前記携帯無線端末の位置情報を起点として、最も近い通信可能な区域への方向を図形メッセージに変換する手段をさらに有することを特徴とする。
【発明の効果】
【００１７】
本発明によれば、携帯電話および無線ＬＡＮ等の携帯無線端末にサービス圏内情報と現在位置情報を同１の地図画面上に表示することにより、ユーザーが現在位置を容易に確認できる。さらに携帯無線端末がサービス圏外にある場合には、最寄りのサービス圏内までの概ねの距離や方位を確認でき、サービス圏外からサービス圏内への移動を効率よく実現できる。
【００１８】
また、現在位置から最寄りのサービス圏内までの概ねの距離を音声や文字で提供できるとともに、方位を図形で提供することにより、さらに利便性の向上が図れる。
【発明を実施するための最良の形態】
【００１９】
以下、本発明の実施の形態について、図面を参照しながら説明する。
【００２０】
（実施の形態１）
図１は、本発明の実施の形態１における携帯無線端末１の表示画面構成例である。
【００２１】
携帯無線端末１の表示画面には、現在地付近の地図情報と、前記携帯無線端末１が通信可能なサービス圏内（同図のゾーンＡ、Ｂ、Ｃ、Ｄ）情報と、現在位置を示すポインタを同１の地図画面上に表示するものである。
【００２２】
図２は、実施の形態１における携帯無線端末１が携帯電話機である場合の機能ブロック構成例で、携帯電話機能と位置情報処理機能からなる。携帯電話機能は、外装に取り付けた操作部１０、マイクロホン１７、スピーカ１８、表示部１２、画像処理回路１１０を備えた端末制御部１１、表示信号を選択する切替部１９、アンテナ１０１、ＲＦ回路１３、変復調回路１４、ベースバンド処理回路１５、コーデック回路１６で構成される。
【００２３】
一方、位置情報処理機能は、アンテナ１０２、ＧＰＳ受信部２０、位置座標処理部２１、地図座標処理部２２、位置座標情報と地図座標情報を合成する座標合成部２３で構成される。地図座標処理部２２は、外部のメモリカード２に記録された地図座標情報、若しくは携帯電話網を経由してダウンロードした地図座標情報のいずれかを入力するものである。また、地図座標情報には、予めサービスエリア情報が付記されているものである。
【００２４】
位置座標処理部２１で検出した現在位置を位置座標情報として地図座標処理部２２に入力する。地図座標処理部２２は、現在位置の位置座標情報に基づいて地図座標情報を検索して両方の地図座標を一致させ、座標合成部２３により地図座標情報に現在位置を重畳させて表示部１２に出力する。
【００２５】
サービス圏外にいるユーザーは、上記の表示情報によって最寄りのサービス圏内までの位置関係を表示部１２で地図情報により確認できる。
【００２６】
（実施の形態２）
図３は、本発明の実施の形態２における携帯無線端末１の表示画面構成例である。
【００２７】
携帯無線端末１の表示画面には、図３で示すように現在地付近の地図情報と、前記携帯無線端末１が通信可能なサービス圏内（同図のゾーンＡ、Ｂ、Ｃ、Ｄ）情報と、現在位置を示すポインタを同１の地図画面上に表示するとともに、定期的に計測して記録した履歴情報（同図の現在地、現在地−１、現在地−２）を再生表示するものである。
【００２８】
図４は、実施の形態２における携帯無線端末１が携帯電話機である場合の機能ブロック構成例で、概略は図２と同じであるので説明を省略し、本発明の主たる機能についてのみ記述する。
【００２９】
座標合成部２３により地図座標情報に現在位置情報を重畳させて定期的に履歴記録部２４に格納しておき、必要に応じて再生表示するものである。特に、サービス圏内から離れる直前の情報を基点として、その後移動したサービス圏外の履歴を記録することで、メモリ容量を節約できる。
【００３０】
サービス圏外にいるユーザーは、上記の再現表示情報により、通過した目標物を特定することが可能で、最寄りのサービス圏内までの移動の効率化が図れる。
【００３１】
（実施の形態３）
図５は、本発明の実施の形態３における携帯無線端末１の通信可能なサービス圏内を示す地図情報の第１の取得例である。
【００３２】
通信事業者から提供される前記携帯無線端末１が通信可能なサービス圏内を示す地図情報を記録したメモリカード２等から取得するものである。メモリカード２に代えて、ＲＯＭ等のメモリを内部に実装してもよい。
【００３３】
（実施の形態４）
図６は、本発明の実施の形態４における携帯無線端末１が携帯電話機である場合の通信可能なサービス圏内を示す地図情報の第２の取得例である。
【００３４】
通信事業者が管理する上位ネットワークの管理サーバ等に登録されているサービス圏内情報を、ユーザーのリクエストによってダウンロードする。ダウンロードする情報は、携帯無線端末１１が現在接続されているサービス圏内情報を必須条件として、隣接するサービス圏内情報に拡大してもよい。
【００３５】
（実施の形態５）
図７は、本発明の実施の形態５における携帯無線端末１の現在位置から最寄りのサービス圏内までの概ねの距離を音声メッセージにより提供するものである。
【００３６】
図８は、実施の形態５における携帯無線端末１が携帯電話機である場合の機能ブロック構成例で、概略は図２と同じであるので説明を省略し、本発明の主たる機能についてのみ記述する。
【００３７】
位置座標処理部２１で得た現在位置情報と地図座標処理部２２で得た地図座標情報の座標差を距離演算部２５で求め、差値を音声情報として音声発生部２６で生成し、携帯電話機のスピーカから出力するものである。
【００３８】
選択するサービス圏内は、現在位置情報との差が最も小さいエリアを選択するように制御することにより効果は大きい。
【００３９】
（実施の形態６）
図９は、本発明の実施形態６における携帯無線端末１の現在位置から最寄りのサービス圏内までの概ねの距離を計測し、その結果を文字メッセージにより表示するものである。
【００４０】
図１０は、実施の形態６における携帯無線端末１が携帯電話機である場合の機能ブロック構成例で、概略は図８と同じであるので説明を省略し、本発明の主たる機能についてのみ記述する。
【００４１】
位置座標処理部２１で得た現在位置情報と地図座標処理部２２で得た地図座標情報のサービス圏内までの座標差を距離演算部２５で求め、差値を文字情報として文字発生部２７で生成し、多重部２９で多重して表示部１２に出力するものである。
【００４２】
選択するサービス圏内は、現在位置情報との差が最も小さいエリアを選択するように制御することにより効果は大きい。
【００４３】
（実施の形態７）
図１１は、本発明の実施の形態７における携帯無線端末１の現在位置から最寄りのサービス圏内までの経路を図形メッセージにより表示するものである。
【００４４】
図１２は、実施の形態７における携帯無線端末１が携帯電話機である場合の機能ブロック構成例で、概略は図８と同じであるので説明を省略し、本発明の主たる機能についてのみ記述する。
【００４５】
位置座標処理部２１で得た現在位置情報と地図座標処理部２２で得た地図座標情報のサービス圏内までの座標差を距離演算部２５で求め、最も近いサービス圏内を特定し、現在位置情報からの方角を矢印などの図形情報として図形発生部２８で生成し、多重部２９で多重して表示部１２に出力するものである。
【００４６】
選択するサービス圏内は、現在位置情報との差が最も小さいエリアを選択するように制御することにより効果は大きい。
【産業上の利用可能性】
【００４７】
本発明にかかる携帯無線端末１および誘導システムは、携帯電話に限らず、アクセスポイントを介して通信をする無線ＬＡＮ搭載の携帯端末にも有効な手段である。また、カーナビゲーションシステムと連動させても効果を得ることができる。
【図面の簡単な説明】
【００４８】
【図１】本発明の実施形態１における携帯無線端末１の表示画面概略図
【図２】本発明の実施形態１における携帯無線端末１の機能構成例を示すブロック図
【図３】本発明の実施形態２における携帯無線端末１の表示画面概略図
【図４】本発明の実施形態２における携帯無線端末１の機能構成例を示すブロック図
【図５】本発明の実施形態３における携帯無線端末１の表示画面実装の概念図
【図６】本発明の実施形態４における携帯無線端末１の表示画面取得の概念図
【図７】本発明の実施形態５における携帯無線端末１の音声による案内方法を示す概念図
【図８】本発明の実施形態５における携帯無線端末１の機能構成例を示すブロック図
【図９】本発明の実施形態６における携帯無線端末１の文字による案内方法を示す概念図
【図１０】本発明の実施形態６における携帯無線端末１の機能構成例を示すブロック図
【図１１】本発明の実施形態７における携帯無線端末１の図形による案内方法を示す概念図
【図１２】本発明の実施形態７における携帯無線端末１の機能構成例を示すブロック図
【図１３】従来の携帯無線端末１におけるサービス圏内およびサービス圏外の表示方法を示す概念図
【符号の説明】
【００４９】
１    携帯無線端末機
２    メモリカード
３    サービス圏内地図情報例
４    上位のネットワーク
１０    操作部
１１    端末制御部
１２    表示部
１３    ＲＦ回路
１４    変復調回路
１５    ベースバンド処理回路
１６    コーデック回路
１７    マイクロホン
１８    スピーカ
１９    切替部
２０    ＧＰＳ受信部
２１    位置座標処理部
２２    地図座標処理部
２３    座標合成部
２４    履歴記録部
２５    距離演算部
２６    音声発生部
２７    文字発生部
２８    図形発生部
２９    多重部
１０１，１０２    アンテナ
１１０    画像処理回路
【図１】
2006157772.tif 000003
【図２】
2006157772.tif 000004
【図３】
2006157772.tif 000005
【図４】
2006157772.tif 000006
【図８】
2006157772.tif 000007
【図１０】
2006157772.tif 000008
【図１１】
2006157772.tif 000009
【図１２】
2006157772.tif 000010
【図１３】
2006157772.tif 000011
【図５】
2006157772.tif 000012
【図６】
2006157772.tif 000013
【図７】
2006157772.tif 000014
【図９】
2006157772.tif 000015